(57)【要約】【課題】  本発明は、様々な想い出を品質劣化することなく保存することができるとともに、それら想い出をいつでも閲覧することができる電子アルバムシステムを提供することを課題とする。【解決手段】サーバコンピュータ１は、校舎等の外観や内観などからなる校舎情報、各クラスの生徒・担任・副担任の名前及び顔写真などからなるクラス情報、校長・教頭・その他先生・関係者などからなる先生情報、および授業風景・入学式・卒業式・体育祭・文化祭・修学旅行・クラブ活動などからなる学校行事情報などに関する静止画情報や、入学式、各クラスの授業風景、クラブ活動、遠足・修学旅行、文化祭・お遊戯会、運動会・体育祭、および卒業式などに関する動画情報や、校歌、各生徒の連絡先および近況報告などのメッセージ、担任・副担任の連絡先・メッセージ、各先生の連絡先・メッセージなどに関する音声情報を前記各ユーザの情報端末装置に対して配信する。【選択図】      図１
2007133726.tif 000002
【特許請求の範囲】
【請求項１】
サーバコンピュータと複数のユーザの情報端末装置とがネットワークを介して接続された電子アルバムシステムであって、
前記サーバコンピュータは、校舎等の外観や内観などからなる校舎情報、各クラスの生徒・担任・副担任の名前及び顔写真などからなるクラス情報、校長・教頭・その他先生・関係者などからなる先生情報、および授業風景・入学式・卒業式・体育祭・文化祭・修学旅行・クラブ活動などからなる学校行事情報などに関する静止画情報を前記各ユーザの情報端末装置に対して配信するものとなされていることを特徴とする電子アルバムシステム。
【請求項２】
前記サーバコンピュータは、さらに入学式、各クラスの授業風景、クラブ活動、遠足・修学旅行、文化祭・お遊戯会、運動会・体育祭、および卒業式などに関する動画情報とを前記各ユーザの情報端末装置に対して配信するものとなされている請求項１に記載の電子アルバムシステム。
【請求項３】
前記サーバコンピュータは、さらに校歌、各生徒の連絡先および近況報告などのメッセージ、担任・副担任の連絡先・メッセージ、各先生の連絡先・メッセージなどに関する音声情報を前記各ユーザの情報端末装置に対して配信するものとなされている請求項１または請求項２に記載の電子アルバムシステム。
【請求項４】
前記サーバコンピュータは、さらに掲示板やチャットなどのサブシステムを有する請求項１ないし請求項３のいずれかに記載の電子アルバムシステム。
【請求項５】
前記静止画情報、動画情報、および音声情報は、インターネットの暗号通信技術ＳＳＬにより保護されるている請求項１ないし請求項４のいずれかに記載の電子アルバムシステム。
【請求項６】
前記ユーザはＩＤおよびパスワードによる認証が行われる請求項１ないし請求項５に記載の電子アルバムシステム。
【発明の詳細な説明】
【技術分野】
【０００１】
本発明は、サーバコンピュータと複数のユーザの情報端末装置とがネットワークを介して接続された電子アルバムシステムに関する。
【背景技術】
【０００２】
従来、幼稚園、小学校、中学校、高校などを卒業するに際して、それらの過程における様々な想い出を記録するものとして卒業アルバムが知られている。この卒業アルバムには、一般に、校舎等の外観や内観などからなる校舎情報、各クラスの生徒・担任・副担任の名前及び顔写真などからなるクラス情報、校長・教頭・その他先生・関係者などからなる先生情報、および授業風景・入学式・卒業式・体育祭・文化祭・修学旅行・クラブ活動などからなる学校行事情報などが記録される。
【０００３】
しかしながら、従来の卒業アルバムは印刷された冊子状のものであり、写真が色あせたり、経年劣化したり、あるいは引越等により紛失してしまう場合があるという問題があった。また、生徒が卒業して月日を重ねていくにしたがって、連絡の取れない生徒が増えていく上に、昨今の人間関係の希薄化や、忙しさにより卒業アルバムを見る機会がなくなっていること、さらには幹事不人気などによって、同窓会などのイベントに人が集まらなかったり、クラスメートや先生に関わる冠婚葬祭の連絡ができないなどの問題が生じてきている。
【０００４】
一方、近年では従来の光学式カメラに変わってデジタルカメラやカメラ付き携帯電話が急速に普及してきており、現在の子供たちは以前と比較して膨大な回数でカメラに撮られている。しかしながら、それら撮影された画像のほとんどはデジタルデータのまま、パソコンやＣＤＲＯＭに保管されているのが実態である。それら大量の画像のほとんどはそのまま陽の目を見ないまま差すれられていく。場合によっては引越やパソコンの買い換え時において捨てられることさえある。
【発明の開示】
【発明が解決しようとする課題】
【０００５】
本発明は、上述の問題に鑑みてなされたものであって、様々な想い出を品質劣化することなく保存することができるとともに、それら想い出をいつでも閲覧することができる電子アルバムシステムを提供することを課題とする。
【課題を解決するための手段】
【０００６】
本発明は、上記課題を解決するために、サーバコンピュータと複数のユーザの情報端末装置とがネットワークを介して接続された電子アルバムシステムであって、
前記サーバコンピュータは、校舎等の外観や内観などからなる校舎情報、各クラスの生徒・担任・副担任の名前及び顔写真などからなるクラス情報、校長・教頭・その他先生・関係者などからなる先生情報、および授業風景・入学式・卒業式・体育祭・文化祭・修学旅行・クラブ活動などからなる学校行事情報などに関する静止画情報を前記各ユーザの情報端末装置に対して配信するものとなされていることを特徴とする。
【０００７】
また、前記サーバコンピュータは、さらに入学式、各クラスの授業風景、クラブ活動、遠足・修学旅行、文化祭・お遊戯会、運動会・体育祭、および卒業式などに関する動画情報とを前記各ユーザの情報端末装置に対して配信するものとなされているのが好ましい。
【０００８】
また、前記サーバコンピュータは、さらに校歌、各生徒の連絡先および近況報告などのメッセージ、担任・副担任の連絡先・メッセージ、各先生の連絡先・メッセージなどに関する音声情報を前記各ユーザの情報端末装置に対して配信するものとなされているのが好ましい。
【０００９】
また、前記サーバコンピュータは、さらに掲示板やチャットなどのサブシステムを有するのが好ましい。
【００１０】
また、前記静止画情報、動画情報、および音声情報は、インターネットの暗号通信技術ＳＳＬにより保護されているのが好ましい。
【００１１】
また、前記ユーザはＩＤおよびパスワードによる認証が行われるのが好ましい。
【発明の効果】
【００１２】
本発明によれば、様々な想い出を品質劣化することなく保存することができるとともに、それら想い出をいつでも閲覧することができる。また、既存のアルバムをネット化し、サイト上で限られたクラスメートしかアクセスできない条件の下で情報交換できる場を提供し、いつでも気軽にサイトにアクセスし情報を更新することができる。したがって、生徒が卒業して月日を重ねていくにしたがって、連絡の取れない生徒の人数を軽減することができ、同窓会などのイベントに人を集めやすくなり、クラスメートや生徒に関わる冠婚葬祭の連絡を取りやすくなる。
【発明を実施するための最良の形態】
【００１３】
次に本発明の一実施形態について説明する。
【００１４】
図１は、本実施形態に関わる電子アルバムシステムの構成概略図である。
【００１５】
図１において、（１）は本システムの中核をなすサーバコンピュータ（以下、サーバという）、（２）は各ユーザ（例えば生徒や先生）の情報端末装置（以下、ユーザ端末という）であり、サーバ（１）とユーザ端末（２）はネットワークを介して通信可能な状態に接続されている。なお、ネットワークは、例えばＴＣＰ／ＩＰプロトコルのインターネットといった通信網であるが、相互に接続可能なものであればどのようなネットワークでも適用可能である。
【００１６】
前記サーバ（１）は、図２に示すように、各部を統括的に制御する制御部（１１）と、卒業アルバムに係る静止画情報を記録する静止画情報記録部（１２）と、同じく動画情報を記録する動画情報記録部（１３）と、音声情報を記録する音声情報記録部（１４）と、ネットワークを介して各ユーザ端末と通信を実行する通信部（１５）と、掲示板やチャットなどの機能を有するサブシステム部（１６）とを備えてなる。
【００１７】
なお、サーバ（１）のハードウェア構成は、いわゆる一般的なものであって、中央演算処理装置（ＣＰＵ）を備え、ＲＯＭ（Read Only Memory）やハードディスクに記憶されたプログラムを実行する。また、記憶媒体に記憶されたプログラムをサーバ（１）で読み取ったり、あるいはネットワークを介して送信されてきたプログラムをサーバ（１）で読み取ることにより、サーバ（１）がプログラムを実行することができる。記憶媒体は、例えば、光磁気ディスク、デジタルビデオディスク、コンパクトディスク、フロッピー（登録商標）ディスクなどがある。
【００１８】
前記静止画情報記録部（１２）は、校舎等の外観や内観などからなる校舎情報、各クラスの生徒・担任・副担任の名前及び顔写真などからなるクラス情報、校長・教頭・その他先生・関係者などからなる先生情報、および授業風景・入学式・卒業式・体育祭・文化祭・修学旅行・クラブ活動などからなる学校行事情報などに関する静止画情報を記録するものである。
【００１９】
前記動画情報記録部（１３）は、学式、各クラスの授業風景、クラブ活動、遠足・修学旅行、文化祭・お遊戯会、運動会・体育祭、および卒業式などに関する動画情報を記録するものである。例えば、入学式は３０分以内に短縮、各クラスの授業風景は１クラス１０分以内、各クラブの活動は１クラブ１０分以内、遠足・修学旅行は３０分以内、文化祭・お遊戯会は６０分以内、運動会・体育祭は６０分以内、卒業式は３０分以内となるように編集する。
【００２０】
前記音声情報記録部（１４）は校歌、各生徒の連絡先および近況報告などのメッセージ、担任・副担任の連絡先・メッセージ、各先生の連絡先・メッセージなどに関する音声情報を記録するものである。例えば、図３に示すように、校舎をクリックすると校歌が聴けたり、生徒の写真をクリックすると連絡先及び近況報告などのメッセージを聴けたり、教室の黒板をクリックすると掲示板になったり、担任・副担任をクリックすると連絡先・メッセージが聴けたり、先生をクリックすると連絡先・メッセージが聴ける。
【００２１】
これらの情報を個人情報法に基づいたセキュリティ対策を実施されている。例えば、大切な卒業アルバムに関する情報はセキュリティ対策で二重三重に守られており、住所等の連絡先、文集、写真、動画などがコピーされて流出することがない。また、プライバシーの保護、情報流出の回避など最新技術を駆使して運営全般に渡る徹底した安全管理がなされており、パスワードロックによる認証が行われ、同窓生のみにＩＤパスワードが発行される。また、必要に応じてインターネットの暗号通信技術ＳＳＬを使用し、ＳＳＬを通じて送信される個人情報等は第三者にみられることがないように暗号化される。また、ユーザの個人情報が登録されたデータベースは、厳重に監視された施設に設置されている。また、インターネットからの不正アクセスに対してもセキュリティが保たれるようファイアウォール等の機器を設置し、厳重に外部アクセスから隔離し、十分な監視のもとで管理運用されている。さらに、専用のソフトを使用してリムーバルメディアへの書き込み禁止やリムーバルメディアの自動暗号化、ＳａｆｅＢｏｏｔ管理サーバによる集中管理を行うのがよい。
【００２２】
なお、本システムに、ＳＮＳ（Social Networking Site）が含まれるものとしてもよい。これは、「ソーシャルネットワーキング」とも呼ばれるもので、参加者が互いに友人を紹介しあって、新たな友人関係を広げることを目的に開設されたコミュニティ型のWebサイトのことである。
【００２３】
上述のシステムによれば、住所などの連絡先は任意に公開が可能で情報を更新することができる。これにより卒業後に予想される転居先不明者の人数を軽減することができる。また、生徒はもちろんのこと、先生や学校側が書き込みできる掲示板でちょっとした近況報告などを行うことができる。これにはチャットや音声通話、テレビ電話、３Ｄ操作の機能を有するものとしてもよい。
【００２４】
また、学校の卒業文集も本システムに記録すれば、ユーザはいつでも自己のパソコンから閲覧することができる。また、生徒たちの顔写真や学校行事などの静止画はフルカラーのデジタル写真を使用することにより、いつでも色あせることなく観ることできる。また、母校の校歌や担任の先生の声も音声ファイルにして流すことができる。また、動画では楽しかった学校生活を観ることができる。
【００２５】
また、本システムによる卒業アルバムでは、当初の費用がかかるだけで、その後のダウンロード閲覧は何回でも、何十年たっても無料であり、一旦記録した情報を半永久的に保存することができる。
【００２６】
また、本システムで記録されている情報を半永久的であるので、何年経っても当時のままに再生することができる。１０年後、５０年後の同窓会でも全く変わらないものを閲覧することができ、生徒や保護者から喜ばれるだけでなく、母校と卒業生の絆をより一層深めることができる。
【００２７】
また、本システムにおける撮影スタッフはマスコミなどの一線で活躍している者が主に担当するので、クラブ活動の試合などを動画で撮影すると本格的な仕上がりとなる。
【００２８】
また、運動会やその他の行事に参加できなかった保護者でも、子供が行事に参加する様子をプロのカメラマンが撮影した動画で閲覧することができる。また、遠方に住んでいる祖父母なども子供の成長を簡単に閲覧することができる。
【００２９】
また、生徒たちが将来結婚したときは、披露宴や挙式などの様子を記念に動画で収録したり、当時に参加できなかった者の電報による祝いの言葉も本システムを利用してライブ映像として配信することができる。
【００３０】
また、数年に一度の割合で撮影スタッフがユーザになじみ深い場所や人（例えば食堂や購買部のおばちゃん、地元の祭り、夜景・花火などの絶景が見える場所）にスポットを当て、ドキュメンタリーの動画で配信することができる。
【図面の簡単な説明】
【００３１】
【図１】本実施形態に係る電子アルバムシステムの構成概略図である。
【図２】図１のサーバのハードウェア構成を示すブロック図である。
【図３】図１のサーバの機能を示すブロック図である。
【符号の説明】
【００３２】
１・・・サーバ
２・・・ユーザ端末
１１・・・制御部
１２・・・静止画情報記録部
１３・・・動画情報記録部
１４・・・音声情報記録部
１５・・・通信部
１６・・・サブシステム部
【図１】
2007133726.tif 000003
【図２】
2007133726.tif 000004
【図３】
2007133726.tif 000005